(57)【要約】【課題】右勝手と左勝手とを容易に変更できるサッシユニット３を安価にする。【解決手段】本組立ハウス１用のサッシユニット３は、サッシ枠６に支持され前後に並ぶ前障子７および中央障子８と後障子９とを含む。各障子７，８，９の配列は、左方Ｘ１への移動で閉じる第１配列と、右方Ｘ２への移動で閉じる第２配列とを択一的に選択可能である。第１配列で開くときに、前障子７の第１係合部Ｋ１と中央障子８の第１被係合部Ｈ１とが係合可能である。第１配列で閉じるときに、前障子７の第２係合部Ｋ２と中央障子８の第２被係合部Ｈ２とが係合可能である。第２配列で開くときに、前障子７の第３係合部Ｋ３と中央障子８の第３被係合部Ｈ３とが係合可能である。第２配列で閉じるときに、前障子７の第４係合部Ｋ４と中央障子８の第４被係合部Ｈ４とが係合可能である。【効果】右勝手と左勝手とで、障子７，８，９とサッシ枠６とを共通化できる。【選択図】図２
2011038274.tif 000002
【特許請求の範囲】
【請求項１】
組立ハウスの一対の柱間に落とし込んで用いられる出入口用のサッシユニットであって、
上記一対の柱により保持される左枠および右枠を有するサッシ枠と、
上記出入口を開閉可能に上記サッシ枠に支持されており、上記出入口を開いたときに前後に並ぶ複数の障子と、を備え、
上記複数の障子は、左右方向に移動可能な前障子および中央障子と、上記サッシ枠に固定された後障子とを含み、
上記前障子は、開閉操作のための開閉操作部と、前後に対向する第１および第２の面とを有し、
上記前障子、上記中央障子および上記後障子の配列は、左方への移動で閉じる第１配列と、右方への移動で閉じる第２配列とを択一的に選択可能であり、
上記第１配列と上記第２配列とでは、上記前障子は前後を反転させて配置され、
上記第１配列のときに上記前障子に連動して上記中央障子が開くように、上記前障子の後面としての上記第２の面に設けられた凸部からなる第１係合部と上記中央障子の左端面からなる第１被係合部とが係合可能であり、
上記第１配列のときに上記前障子に連動して上記中央障子が閉じるように、上記前障子の上記後面としての上記第２の面に設けられた凸部からなる第２係合部と上記中央障子の前面に設けられた凸部からなる第２被係合部とが係合可能であり、
上記第２配列のときに上記前障子に連動して上記中央障子が開くように、上記前障子の後面としての上記第１の面に設けられた凸部からなる第３係合部と上記中央障子の右端面からなる第３被係合部とが係合可能であり、
上記第２配列のときに上記前障子に連動して上記中央障子が閉じるように、上記前障子の上記後面としての上記第１の面に設けられた凸部からなる第４係合部と上記中央障子の上記前面に設けられた凸部からなる第４被係合部とが係合可能であることを特徴とする組立ハウス用のサッシユニット。
【請求項２】
請求項１に記載の組立ハウス用のサッシユニットにおいて、
上記前障子は、上記サッシ枠にロック可能であり、
上記第１配列のときに上記後障子に対して上記中央障子が右方へ移動することが規制されるように、上記後障子の前面に設けられた凸部からなる第５係合部と上記中央障子の後面に設けられた凸部からなる第５被係合部とが係合可能であり、
上記第２配列のときに上記後障子に対する上記中央障子が左方へ移動することが規制されるように、上記後障子の上記前面に設けられた凸部からなる第６係合部と上記中央障子の上記後面に設けられた凸部からなる第６被係合部とが係合可能であり、
上記第２係合部および上記第２被係合部は、互いに当接する当接部をそれぞれ含み、
上記第４係合部および上記第４被係合部は、互いに当接する当接部をそれぞれ含み、
上記第５係合部および上記第５被係合部は、互いに当接する当接部をそれぞれ含み、
上記第６係合部および上記第６被係合部は、互いに当接する当接部をそれぞれ含み、
上記第１配列のときに、左右方向に関して、上記サッシ枠にロックされた上記前障子の上記第２係合部の上記当接部と上記後障子の上記第５係合部の上記当接部との間の第１の距離は、上記中央障子の上記第２被係合部の上記当接部と上記第５被係合部の上記当接部との間の第２の距離とは等しくされており、これにより、上記サッシ枠に上記前障子がロックされたときに、左右両方向への上記中央障子の移動が規制されており、
上記第２配列のときに、左右方向に関して、上記サッシ枠にロックされた上記前障子の上記第４係合部の上記当接部と上記後障子の上記第６係合部の上記当接部との間の第３の距離は、上記中央障子の上記第４被係合部の上記当接部と上記第６被係合部の上記当接部との間の第４の距離とは等しくされており、これにより、上記サッシ枠に上記前障子がロックされたときに、左右両方向への上記中央障子の移動が規制されていることを特徴とする組立ハウス用のサッシユニット。
【請求項３】
請求項２に記載の組立ハウス用のサッシユニットにおいて、
上記中央障子および上記後障子は、前後反転させて用いることが可能とされ、
上記中央障子を前後反転させて用いるときに、上記第２被係合部が、上記第５被係合部として機能し、上記第５被係合部が、上記第２被係合部として機能し、上記第４被係合部が、上記第６被係合部として機能し、上記第６被係合部が、上記第４被係合部として機能し、
上記後障子は、上記第５係合部および上記第６係合部が設けられた面とは反対側の面に、上記後障子を前後反転させて用いるときに上記第５係合部として機能する凸部と、上記後障子を前後反転させて用いるときに上記第６係合部として機能する凸部とを有することを特徴とする組立ハウス用のサッシユニット。
【請求項４】
請求項１から３の何れか１項に記載の組立ハウス用のサッシユニットにおいて、
上記前障子を上記サッシ枠にロックするためのロック装置を備え、
上記ロック装置は、上記サッシ枠に設けられたロック用の被係合凹部と係合するように昇降可能なロック部材と、上記ロック部材を操作可能なロック操作部材とを含み、
上記ロック操作部材は、上記第１配列または上記第２配列に応じて、それぞれ上記第１の面または上記第２の面に択一的に装着可能であり、
上記サッシ枠は、上記前障子の戸車を案内する軌道となる突条を有する下枠を含み、
上記被係合凹部は、上記下枠の左側および右側の端部の突条の一部をそれぞれ切り欠いて形成された左側および右側の被係合凹部を含み、
上記第１配列のときに、上記ロック部材が上記左側の被係合凹部に係合し、
上記第２配列のときに、上記ロック部材が上記右側の被係合凹部に係合するようにしてあることを特徴とする組立ハウス用のサッシユニット。
【発明の詳細な説明】
【技術分野】
【０００１】
本発明は、組立ハウス用のサッシユニットに関する。
【背景技術】
【０００２】
組立ハウスは、壁面を構成するための複数のパネルと、複数の柱とを互いに組み合わせることにより構成されている。組立ハウスに出入口を設ける場合には、出入口用のサッシユニットを用いる。このサッシユニットは、互いに対向する一対の溝形の柱の間に落とし込まれることにより取り付けられる。サッシユニットの左右両側部分が対応する柱により支えられる。
【０００３】
ところで、組立ハウスの柱の間隔は、通例、予め定められた規格値に設定されるので、このような柱に支持される標準的なサッシユニットの左右方向寸法は、規格値に規制されている。一方で、上述の標準的なサッシユニットにおいて、左右方向についての出入口の幅を、広くしたいという要請がある。
出入口の幅を広く確保するために、出入口用のサッシユニットとして、枠状のサッシ枠と、このサッシ枠に取り付けられた３枚の障子とを有するサッシユニットが提案されている。３枚のうちの２つの障子が、連動して、サッシ枠に対して左右に移動可能とされている（例えば、特許文献１参照。）。
【先行技術文献】
【特許文献】
【０００４】
【特許文献１】特開２００７−１３８４７６号公報
【発明の概要】
【発明が解決しようとする課題】
【０００５】
ところで、サッシユニットには、右勝手のサッシユニットと、左勝手のサッシユニットとがある。右勝手と左勝手のサッシユニットでは、開くときの障子の移動方向が互いに異なっている。通例、右勝手および左勝手のサッシユニットには、それぞれ専用の部品が用いられている。従って、右勝手および左勝手の両方のサッシユニットを製造する場合には、部品の種類が多くなるので、製造コストの低減が困難であった。
【０００６】
また、右勝手のサッシユニットを左勝手に変更したい場合、または、この逆の場合もある。しかし、このような要望に応えるには、サッシユニット全体を交換する必要があるので、右勝手と左勝手とを変更するのは、実際には容易ではなかった。
そこで、本発明の目的は、右勝手と左勝手とを容易に変更できて安価な組立ハウス用のサッシユニットを提供することである。
【課題を解決するための手段】
【０００７】
上記の目的を達成するための請求項１記載の発明は、組立ハウスの一対の柱間に落とし込んで用いられる出入口用のサッシユニットであって、上記一対の柱により保持される左枠および右枠を有するサッシ枠と、上記出入口を開閉可能に上記サッシ枠に支持されており、上記出入口を開いたときに前後に並ぶ複数の障子と、を備え、上記複数の障子は、左右方向に移動可能な前障子および中央障子と、上記サッシ枠に固定された後障子とを含み、上記前障子は、開閉操作のための開閉操作部と、前後に対向する第１および第２の面とを有し、上記前障子、上記中央障子および上記後障子の配列は、左方への移動で閉じる第１配列と、右方への移動で閉じる第２配列とを択一的に選択可能であり、上記第１配列と上記第２配列とでは、上記前障子は前後を反転させて配置され、上記第１配列のときに上記前障子に連動して上記中央障子が開くように、上記前障子の後面としての上記第２の面に設けられた凸部からなる第１係合部と上記中央障子の左端面からなる第１被係合部とが係合可能であり、上記第１配列のときに上記前障子に連動して上記中央障子が閉じるように、上記前障子の上記後面としての上記第２の面に設けられた凸部からなる第２係合部と上記中央障子の前面に設けられた凸部からなる第２被係合部とが係合可能であり、上記第２配列のときに上記前障子に連動して上記中央障子が開くように、上記前障子の後面としての上記第１の面に設けられた凸部からなる第３係合部と上記中央障子の右端面からなる第３被係合部とが係合可能であり、上記第２配列のときに上記前障子に連動して上記中央障子が閉じるように、上記前障子の上記後面としての上記第１の面に設けられた凸部からなる第４係合部と上記中央障子の上記前面に設けられた凸部からなる第４被係合部とが係合可能であることを特徴とする組立ハウス用のサッシユニットである。
【０００８】
本発明によれば、サッシユニットの前障子を左方へ移動させて閉じる場合と、サッシユニットの前障子を右方へ移動させて閉じる場合との両方の場合、いわゆる勝手違いの場合に、サッシ枠、前障子、中央障子、および後障子を兼用することができる。従って、勝手違いの２種のサッシユニットの部品を共通化できるので、勝手違いの２種のサッシユニット全体での部品の種類を低減できる。その結果、製造コストを安価にできる。また、例えば、前障子、中央障子、および後障子を第１配列から第２配列に変更してサッシ枠に装着することができる。逆に、第２配列から第１配列に変更することもできる。このように、左右の勝手の変更に際しては、前障子、中央障子、および後障子を兼用しつつ、これらの配置を変更すればよいので、左右の勝手を容易に変更できる。
【０００９】
また、請求項２記載の発明は、請求項１に記載の組立ハウス用のサッシユニットにおいて、上記前障子は、上記サッシ枠にロック可能であり、上記第１配列のときに上記後障子に対して上記中央障子が右方へ移動することが規制されるように、上記後障子の前面に設けられた凸部からなる第５係合部と上記中央障子の後面に設けられた凸部からなる第５被係合部とが係合可能であり、上記第２配列のときに上記後障子に対する上記中央障子が左方へ移動することが規制されるように、上記後障子の上記前面に設けられた凸部からなる第６係合部と上記中央障子の上記後面に設けられた凸部からなる第６被係合部とが係合可能であり、上記第２係合部および上記第２被係合部は、互いに当接する当接部をそれぞれ含み、上記第４係合部および上記第４被係合部は、互いに当接する当接部をそれぞれ含み、上記第５係合部および上記第５被係合部は、互いに当接する当接部をそれぞれ含み、上記第６係合部および上記第６被係合部は、互いに当接する当接部をそれぞれ含み、上記第１配列のときに、左右方向に関して、上記サッシ枠にロックされた上記前障子の上記第２係合部の上記当接部と上記後障子の上記第５係合部の上記当接部との間の第１の距離は、上記中央障子の上記第２被係合部の上記当接部と上記第５被係合部の上記当接部との間の第２の距離とは等しくされており、これにより、上記サッシ枠に上記前障子がロックされたときに、左右両方向への上記中央障子の移動が規制されており、上記第２配列のときに、左右方向に関して、上記サッシ枠にロックされた上記前障子の上記第４係合部の上記当接部と上記後障子の上記第６係合部の上記当接部との間の第３の距離は、上記中央障子の上記第４被係合部の上記当接部と上記第６被係合部の上記当接部との間の第４の距離とは等しくされており、これにより、上記サッシ枠に上記前障子がロックされたときに、左右両方向への上記中央障子の移動が規制されていることを特徴とする組立ハウス用のサッシユニットである。この場合には、右勝手および左勝手の両方の場合に、前障子をロックするときに中央障子の移動を規制できる。これにより、閉じた状態が確実に維持される。
【００１０】
また、請求項３記載の発明は、請求項２に記載の組立ハウス用のサッシユニットにおいて、上記中央障子および上記後障子は、前後反転させて用いることが可能とされ、上記中央障子を前後反転させて用いるときに、上記第２被係合部が、上記第５被係合部として機能し、上記第５被係合部が、上記第２被係合部として機能し、上記第４被係合部が、上記第６被係合部として機能し、上記第６被係合部が、上記第４被係合部として機能し、上記後障子は、上記第５係合部および上記第６係合部が設けられた面とは反対側の面に、上記後障子を前後反転させて用いるときに上記第５係合部として機能する凸部と、上記後障子を前後反転させて用いるときに上記第６係合部として機能する凸部とを有することを特徴とする組立ハウス用のサッシユニットである。この場合、中央障子および後障子を前後反転させて利用できるので、前後方向に関して組立時の注意を厳しくせずに済み、その結果、組立が容易になる。
【００１１】
また、請求項４記載の発明は、請求項１から３の何れか１項に記載の組立ハウス用のサッシユニットにおいて、上記前障子を上記サッシ枠にロックするためのロック装置を備え、上記ロック装置は、上記サッシ枠に設けられたロック用の被係合凹部と係合するように昇降可能なロック部材と、上記ロック部材を操作可能なロック操作部材とを含み、上記ロック操作部材は、上記第１配列または上記第２配列に応じて、それぞれ上記第１の面または上記第２の面に択一的に装着可能であり、上記サッシ枠は、上記前障子の戸車を案内する軌道となる突条を有する下枠を含み、上記被係合凹部は、上記下枠の左側および右側の端部の突条の一部をそれぞれ切り欠いて形成された左側および右側の被係合凹部を含み、上記第１配列のときに、上記ロック部材が上記左側の被係合凹部に係合し、上記第２配列のときに、上記ロック部材が上記右側の被係合凹部に係合するようにしてあることを特徴とする組立ハウス用のサッシユニットである。
【００１２】
この場合、右勝手および左勝手の両方の場合に、前障子をサッシ枠にロックすることができる。また、被係合凹部は、軌道となる突条の端部が利用されているので、サッシ枠の構造を簡素化でき、製造コストを安価にできる。
【図面の簡単な説明】
【００１３】
【図１】本発明の一実施形態の組立ハウスのサッシユニットおよび柱の斜視図であり、サッシユニットが一対の柱に組み込まれる状態が部分的な断面表示で示されている。
【図２】サッシユニットと柱の分解斜視図である。
【図３】図３（ａ）は、第１配列で閉じた状態のサッシユニットの正面図であり、図３（ｂ）は、図３（ａ）のサッシユニットの平面視での模式的な断面図であり、図３（ｃ）は、第１配列で開いた状態のサッシユニットの正面図であり、図３（ｄ）は、図３（ｃ）のサッシユニットの平面視での模式的な断面図である。
【図４】図４（ａ）は、第２配列で閉じた状態のサッシユニットの正面図であり、図４（ｂ）は、図４（ａ）のサッシユニットの平面視での模式的な断面図であり、図４（ｃ）は、第２配列で開いた状態のサッシユニットの正面図であり、図４（ｄ）は、図４（ｃ）のサッシユニットの平面視での模式的な断面図である。
【図５】図５は、図３（ａ）のＶ−Ｖ線に沿う断面図である。
【図６】図６（ａ）は、第１配列で閉じた状態のサッシユニットの模式的な断面図であり、図６（ｂ）は、第１配列で開くときの途中の状態のサッシユニットの模式的な断面図である。
【図７】図７（ａ）は、第１配列で開いた状態のサッシユニットの模式的な断面図であり、図７（ｂ）は、第１配列で閉じるときの途中の状態のサッシユニットの模式的な断面図である。
【図８】図８は、図４（ａ）のVIII−VIII線に沿う断面図である。
【図９】図９（ａ）は、第２配列で閉じた状態のサッシユニットの模式的な断面図であり、図９（ｂ）は、第２配列で開くときの途中の状態のサッシユニットの模式的な断面図である。
【図１０】図１０（ａ）は、第２配列で開いた状態のサッシユニットの模式的な断面図であり、図１０（ｂ）は、第２配列で閉じるときの途中の状態のサッシユニットの模式的な断面図である。
【図１１】図１１（ａ）および図１１（ｂ）は、第１配列において中央障子および後障子の前後を反転させた状態のサッシユニットの模式的な断面図であり、図１１（ａ）に開いた状態を示し、図１１（ｂ）に閉じた状態を示す。
【図１２】図１２（ａ）および図１２（ｂ）は、第２配列において中央障子および後障子の前後を反転させた状態のサッシユニットの模式的な断面図であり、図１２（ａ）に開いた状態を示し、図１２（ｂ）に閉じた状態を示す。
【図１３】サッシ枠の要部の斜視図であり、部分的に断面表示されている。
【図１４】図１３に示すサッシ枠の上記要部のサッシ枠の分解斜視図である。
【図１５】ロック解除状態のサッシユニットの要部の正面図である。
【図１６】ロック状態のサッシユニットの要部の正面図である。
【発明を実施するための形態】
【００１４】
以下では、本発明の一実施形態を、添付図面を参照して詳細に説明する。図１は、本発明の一実施形態の組立ハウスのサッシユニットおよび柱の斜視図であり、サッシユニットが一対の柱に組み込まれる状態が部分的な断面表示で図示されている。
組立ハウス１は、構造材としての複数の柱２と、出入口を構成するサッシユニット３と、板材からなり壁を形成するパネル４とを有している。本実施形態のサッシユニット３は、具体的には、屋内用のサッシユニット３であり、室内と室外との間の出入口５を構成している。
【００１５】
以下の説明では、方向を、サッシユニット３の正面視での方向に則して説明する。例えば、隣接する一対の柱２が並ぶ方向を左右方向Ｘ１，Ｘ２、左方Ｘ１、および右方Ｘ２とする。なお、左右については、室内から室外を見た状態を基準として説明する。また、上下方向Ｚおよび左右方向Ｘ１，Ｘ２と直交する方向を前後方向Ｙ１，Ｙ２とし、室内側を前方Ｙ１とし、室外側を後方Ｙ２とする。
【００１６】
複数の柱２は、図示しないベース枠の上に所定間隔をあけて立てられていて上下方向Ｚに延びている。柱２は、溝形材、例えば、リップ溝形鋼を用いられている。各柱２には、案内溝２ａが形成されている。互いに隣接する一対の柱２には、その案内溝２ａが、互いに対向して形成されている。パネル４やサッシユニット３のサッシ枠６が、隣接する一対の柱２，２間に、その一対の案内溝２ａに上方から落とし込まれて取り付けられている。なお、柱２の溝形材としては、リップ溝形鋼の他、Ｃ型チャンネル鋼を例示でき、この他、案内溝２ａを有する部材であればよく、例えば、断面Ｈ字形形状の部材でもよい。
【００１７】
図２は、サッシユニット３と柱２の分解斜視図である。図１および図２を参照して、サッシユニット３は、組立ハウス１の一対の柱２間に落とし込んで用いられる出入口５用のサッシユニットである。サッシユニット３は、一対の柱２により保持されるサッシ枠６と、出入口５を開閉可能にサッシ枠６に支持された複数（具体的には３枚）の障子７，８，９を備えている。また、サッシユニット３は、障子７，８，９をサッシ枠６にロックするためのロック装置１０を有している。
【００１８】
サッシ枠６は、左右方向Ｘ１，Ｘ２に互いに対向し上下方向Ｚに延びる左枠１３および右枠１４と、上下方向Ｚに互いに対向し左右方向Ｘ１，Ｘ２に延びる上枠１５および下枠１６とを有している。左枠１３、右枠１４、上枠１５および下枠１６は、互いに連結されている。サッシ枠６は、正面視で全体として四角環状をなしている。左枠１３および右枠１４が、一対の柱２により保持されている。また、上枠１５が３枚の障子７，８，９をスライド移動可能に保持している。下枠１６が、３枚の障子７，８，９をスライド移動可能に支持している。３枚の障子７，８，９は、例えば、後述する第１配列（矢印Ｋ１１，Ｋ１２，Ｋ１３参照）または第２配列（破線矢印Ｋ２１，Ｋ２２，Ｋ２３参照）でサッシ枠６に保持されている。
【００１９】
図３（ａ）は、第１配列で閉じた状態のサッシユニット３の正面図であり、図３（ｂ）は、図３（ａ）のサッシユニット３の平面視での模式的な断面図であり、図３（ｃ）は、第１配列で開いた状態のサッシユニット３の正面図であり、図３（ｄ）は、図３（ｃ）のサッシユニット３の平面視での模式的な断面図である。
複数の障子７，８，９は、左右方向Ｘ１，Ｘ２に移動可能な第１の障子としての前障子７と、左右方向Ｘ１，Ｘ２に移動可能な第２の障子としての中央障子８と、サッシ枠６に固定された第３の障子としての後障子９とを含んでいる。また、前障子７は、開閉操作するための障子である。中央障子８は、前障子７の開閉操作に伴って連動する障子である。前障子７および中央障子８は、左右方向Ｘ１，Ｘ２に移動可能な引き戸として機能する。後障子９は、固定部材１７によりサッシ枠６に固定されている。
【００２０】
また、前後方向Ｙ１，Ｙ２に関して、前障子７の前面と中央障子８の後面との間には、第１の隙間が開けられている。また、後障子９の前面と中央障子８の後面との間には、第２の隙間が開けられている。第１の隙間の隙間量と第２の隙間の隙間量とは、互いに等しくされている。
図３（ａ）に示すサッシユニット３は、いわゆる左勝手に構成されている。前障子７、中央障子８および後障子９の配列（この配列を、第１配列という。）は、以下の通りである。第１配列では、出入口５を開いたときには、前障子７、中央障子８および後障子９は、この記載の順に、前方Ｙ１から後方Ｙ２へ並んでおり、出入口５に対して右側に配置されている。このとき、前障子７、中央障子８および後障子９が、前後方向Ｙ１，Ｙ２に関して互いに重なり合っている。前障子７および中央障子８を左方Ｘ１へ移動させることにより、出入口５を閉じるようになっている。
【００２１】
図４（ａ）は、第２配列で閉じた状態のサッシユニット３の正面図であり、図４（ｂ）は、図４（ａ）のサッシユニット３の平面視での模式的な断面図であり、図４（ｃ）は、第２配列で開いた状態のサッシユニット３の正面図であり、図４（ｄ）は、図４（ｃ）のサッシユニット３の平面視での模式的な断面図である。
図４（ａ）に示すサッシユニット３は、いわゆる右勝手に構成されている。前障子７、中央障子８および後障子９が、以下の第２配列で配置されている。第２配列では、出入口５を開いたときには、前障子７、中央障子８および後障子９は、この記載の順に、前方Ｙ１から後方Ｙ２へ並んでおり、出入口５に対して左側に配置されている。このとき、前障子７、中央障子８および後障子９が、前後方向Ｙ１，Ｙ２に沿って見たときに互いに重なり合っている。前障子７および中央障子８を右方Ｘ２へ移動させることにより、出入口５を閉じるようになっている。
【００２２】
従来のサッシユニットでは、右勝手および左勝手のそれぞれに専用の部品が用いられていた。
これに対して、本実施形態のサッシユニット３は、右勝手および左勝手で部品、例えば、サッシ枠６および各障子７，８，９が兼用されており、右勝手および左勝手の何れにも自在に組み立てることができるようになっている。すなわち、本実施形態の前障子７、中央障子８および後障子９の配列は、左方Ｘ１への移動で閉じる第１配列と、右方Ｘ２への移動で閉じる第２配列とを択一的に選択可能である。
【００２３】
図３（ａ）および図３（ｂ）を参照して、各障子７，８，９は、それぞれ、前後方向Ｙ１，Ｙ２に互いに対向する第１の面２１および第２の面２２を有している。第１配列のときに、第１の面２１は前面を形成し、第２の面２２は後面を形成している。各障子７，８，９は、回転可能な複数の戸車２３、例えば、２つの戸車２３を有している。複数の戸車２３は、左右方向Ｘ１，Ｘ２に互いに離れて配置されており、それぞれの戸車２３が、対応する障子７，８，９の下端部に配置されている。
【００２４】
図２および図３（ａ）を参照して、各障子７，８，９は、上下方向Ｚに沿って延びる第１の縦枠２４および第２の縦枠２５と、左右方向Ｘ１，Ｘ２に沿って延びる横枠としての上横枠２６、中横枠２７および下横枠２８と、これらの枠２４，２５，２６，２７，２８により保持された板部材２９とを有している。第１の縦枠２４が、前障子７における戸先側の端部に配置されている。また、第２の縦枠２５は、前障子７における戸尻側の端部に配置されている。第１の面２１および第２の面２２のそれぞれは、上述の各枠２４，２５，２６，２７，２８および板部材２９により形成された部分を含んでいる。また、戸車２３は、下横枠２８に回転可能に保持されている。
【００２５】
また、各障子７，８，９の板部材２９は、例えば透明、または不透明なガラス板であってもよいし、金属、合成樹脂、木材等の板材であってもよい。各障子７，８，９の各枠２４，２５，２６，２７，２８は、アルミニウム合金を押出成形されてなる棒状部材を用い、この棒状部材に所要の加工を施されてなる。
また、前障子７は、開閉操作のための開閉操作部としての一対の把手３０を有している。一対の把手３０は、第１の面２１および第２の面２２から突出している。一対の把手３０は、具体的には、前障子７の第１の縦枠２４に固定されている。開閉操作部としては、把手３０の他、第１の面２１および第２の面２２に形成された開閉操作可能な凹部（図示せず）であってもよい。
【００２６】
また、後障子９は、サッシ枠６に固定されているので、後障子９の戸車２３は廃止されてもよい。本実施形態では、後述するように後障子９と中央障子８とは、互いに入れ換えて利用できるようにされているので、後障子９と中央障子８とは、互いに同じに構成されている。
図３（ｂ）および図４（ｂ）を参照して、本実施形態では、前障子７を、第１配列および第２配列に兼用できるようにしている。中央障子８を、第１配列および第２配列に兼用できるようにしている。同様に、後障子９を、第１配列および第２配列に兼用できるようにしている。
【００２７】
前障子７は、第１配列と第２配列とで、前後を反転させて配置される。具体的には、第１配列では、前障子７の第１の面２１が前面になるが、第２配列では、前障子７の第１の面２１は、後面になる。また、前障子７は、中心平面Ｐ１に対して面対称な形状を有している。ここで、中心平面Ｐ１は、前後方向Ｙ１，Ｙ２に直交し、２つの戸車２３の前後方向Ｙ１，Ｙ２の中心位置を通る仮想の平面である。
【００２８】
本実施形態の中央障子８は、第１および第２配列で兼用するために、左右方向Ｘ１，Ｘ２に関してサッシ枠６の全域を移動可能とされている。また、中央障子８の第１の面２１は、左右対称に形成されている。中央障子８の第２の面２２は、左右対称に形成されている。これにより、第１配列と第２配列とでともに、第１の面２１を前面とした状態で、中央障子８を用いることができる。
【００２９】
また、中央障子８は、平面視で、中心に対して点対称に形成されている。ここで、中心は、前後方向Ｙ１，Ｙ２および左右方向Ｘ１，Ｘ２に関する中央障子８の中心点である。これにより、中央障子８を、前後を反転させて用いることができる。例えば、第１配列と第２配列との任意の配列のときに、中央障子８の第１の面２１を前面としてもよいし、中央障子８の第２の面２２を前面としてもよい。
【００３０】
本実施形態の後障子９は、第１および第２配列で兼用するために、サッシ枠６の右端部および左端部の両方に固定できるようにされている。また、後障子９の第１の面２１は、左右対称に形成されている。これにより、第１配列と第２配列とでともに、第１の面２１を前面とした状態で、中央障子８を用いることができる。
また、後障子９は、平面視で、中心に対して点対称に形成されている。ここで、中心は、前後方向Ｙ１，Ｙ２および左右方向Ｘ１，Ｘ２に関する中央障子８の中心点である。これにより、後障子９を、前後を反転させて用いることができる。例えば、第１配列と第２配列との任意の配列のときに、後障子９の第１の面２１を前面としてもよいし、後障子９の第２の面２２を前面としてもよい。
【００３１】
本実施形態の後障子９と中央障子８とは、互いに同じに構成されている。これにより、後障子９と中央障子８とは、互いに入れ換えて用いることができる。例えば、後障子９は、サッシ枠６に固定されていないときには、サッシ枠６内を、左右方向Ｘ１，Ｘ２の全域にわたり移動可能とされている。また逆に、中央障子８は、サッシ枠６の左右両端部に固定できるようになっている。
【００３２】
図５は、図３（ａ）のＶ−Ｖ線に沿う断面図である。図５を参照して、前障子７は、第１の凸部３１、第２の凸部３２、第３の凸部３３、第４の凸部３４を有している。中央障子８は、第１の凸部３１、第２の凸部３２、第３の凸部３３、第４の凸部３４を有している。後障子９は、第１の凸部３１、第２の凸部３２、第３の凸部３３、第４の凸部３４を有している。
【００３３】
各障子７，８，９において、第１の凸部３１は、第２の面２２から突出して形成されており、左右方向Ｘ１，Ｘ２に関しては戸先側の各障子７，８，９の端部（第１配列で左側端部に相当する。）に配置されている。
第２の凸部３２は、第２の面２２から突出して形成されており、左右方向Ｘ１，Ｘ２に関しては戸尻側の各障子７，８，９の端部（第１配列で右側端部に相当する。）に配置されている。
【００３４】
第３の凸部３３は、第１の面２１から突出して形成されており、左右方向Ｘ１，Ｘ２に関しては戸先側の各障子７，８，９の端部に配置されている。
第４の凸部３４は、第１の面２１から突出して形成されており、左右方向Ｘ１，Ｘ２に関しては戸尻側の各障子７，８，９の端部に配置されている。
後述するように、これらの各障子７，８，９の各凸部３１，３２，３３，３４は、各障子７，８，９の相対移動を規制し、開閉するときの各障子７，８，９の連動を実現するために設けられている。各凸部３１，３２，３３，３４は、相手方部材としての障子７，８，９の一部（例えば、当該凸部と前後に隣接する障子７，８，９の何れかの端面３６，３７、またはこの障子７，８，９の何れかの凸部３１，３２，３３，３４）と係合可能とされている。各凸部３１，３２，３３，３４は、相手方部材と当接可能な当接部３８を有している。なお、配列に応じて、一部の凸部３１，３２，３３，３４が、相手方部材と当接可能とされ、各障子７，８，９の相対移動を規制するのに寄与するようになっている。
【００３５】
各凸部３１，３２，３３，３４の当接部３８は、合成樹脂により形成され、当該凸部３１，３２，３３，３４の一方の側面の一部を形成している。上述の一方の側面は、左右方向Ｘ１，Ｘ２に関して当該凸部３１，３２，３３，３４が設けられた障子７，８，９の中心寄りにある側面である。
前障子７の第１の凸部３１の突出量は、前後方向Ｙ１，Ｙ２に関する前障子７と中央障子８との面同士の隙間量よりも大きく設定されている。前障子７の第３の凸部３３の突出量は、前障子７の第１の凸部３１の突出量とは互いに等しく設定されている。
【００３６】
これにより、前障子７の第１の凸部３１が中央障子８に臨むときに、第１の凸部３１の当接部３８と、第１被係合部Ｈ１の当接部としての中央障子８の左端面３６とが、左右方向Ｘ１，Ｘ２に沿って対向し、互いに係合可能とされている。
また、後述する図８を参照して、前障子７の第３の凸部３３が中央障子８に臨むときに、第３の凸部３３の当接部３８と、第３被係合部Ｈ３の当接部としての中央障子８の右端面３７とが、左右方向Ｘ１，Ｘ２に沿って対向し、互いに係合可能とされている。
【００３７】
図３（ａ）および図４（ａ）を参照して、前障子７の第１の凸部３１および第３の凸部３３は、樹脂製部材により形成され、前障子７の上端部としての上横枠２６および下端部としての下横枠２８に固定されている。
図５を参照して、残りの凸部３１〜３４の突出量は、前後方向Ｙ１，Ｙ２に関する前障子７と中央障子８との面同士の隙間量（前後方向Ｙ１，Ｙ２に関する後障子９と中央障子８との面同士の隙間量でもよい）よりも小さく且つ、この隙間量の半分よりも大きく設定されている。これにより、互いに隣接する障子７，８，９の凸部の当接部３８同士が、左右方向Ｘ１，Ｘ２に沿って対向し、互いに係合可能とされている。ここで、上述の残りの凸部３１〜３４は、前障子７の第２の凸部３２と、前障子７の第４の凸部３４と、中央障子８および後障子９の各凸部３１，３２，３３，３４とである。上述の残りの凸部３１〜３４は、上下方向Ｚに延びる樹脂製部材により形成され、対応する各障子７，８，９の第１の縦枠２４または第２の縦枠２５に固定されている。
【００３８】
また、本実施形態では、閉じた状態で、前障子７の戸先側端面としての第１の縦枠２４の端面と、これに対向するサッシ枠６の縦枠としての左枠１３との間に、所定量の隙間が開けられている。すなわち、前障子７の戸先側端面の上下の端部にスペーサ４０が固定されている。このスペーサ４０と、サッシ枠６の縦枠とが当接するようになっている。
図６（ａ）および図６（ｂ）は、閉じた状態と開く途中の状態での第１配列のサッシユニット３の模式的な断面図である。図７（ａ）および図７（ｂ）は、開いた状態と閉じる途中の状態での第１配列のサッシユニット３の模式的な断面図である。図６（ａ）および図６（ｂ）を参照して、第１配列では、前障子７の第１の面２１は、前面になる。中央障子８の第１の面２１は、前面になる。後障子９の第１の面２１は、前面になる。
【００３９】
第１配列で開くときには、閉じた状態から、前障子７を右方Ｘ２へ移動させる。左右方向Ｘ１，Ｘ２に関して前障子７がサッシ枠６の中央に到達すると、中央障子８が前障子７とともに右方Ｘ２へ移動するようになっている。すなわち、第１配列のときに前障子７に連動して中央障子８が開くように、前障子７の後面としての第２の面２２に設けられた第１の凸部３１からなる第１係合部Ｋ１と、中央障子８の左端面としての端面３６からなる第１被係合部Ｈ１とが、係合可能である。このような係合状態が達成されることにより、前障子７に連動して、中央障子８を右方Ｘ２へ移動させて、開いた状態にできる。
【００４０】
図７（ａ）および図７（ｂ）を参照して、第１配列で閉じるときに、開いた状態から、前障子７を左方Ｘ１へ移動させる。左右方向Ｘ１，Ｘ２に関して前障子７がサッシ枠６の中央に到達すると、中央障子８が前障子７とともに左方Ｘ１へ移動するようになっている。すなわち、第１配列のときに前障子７に連動して中央障子８が閉じるように、前障子７の後面としての第２の面２２に設けられた第２の凸部３２からなる第２係合部Ｋ２と、中央障子８の前面としての第１の面２１に設けられた第３の凸部３３からなる第２被係合部Ｈ２とが、互いに係合可能である。このような係合状態が達成されることにより、前障子７に連動して中央障子８を左方Ｘ１へ移動させて、閉じた状態にできる。
【００４１】
図５を参照して、閉じた状態で、後述するように、前障子７をサッシ枠６にロック装置１０によりロックすることができる。ロック状態では、第１配列のときに後障子９に対して中央障子８が右方Ｘ２へ移動することが規制されるように、後障子９の前面としての第１の面２１に設けられた第３の凸部３３からなる第５係合部Ｋ５と、中央障子８の後面としての第２の面２２に設けられた第２の凸部３２からなる第５被係合部Ｈ５とが、互いに係合可能とされている。
【００４２】
図６（ａ）を参照して、第１配列のときに、左右方向Ｘ１，Ｘ２に関して、サッシ枠６にロックされた前障子７の第２係合部Ｋ２として第２の凸部３２の当接部３８と後障子９の第５係合部Ｋ５としての第３の凸部３３の当接部３８との間の第１の距離Ｌ１は、中央障子８の第２被係合部Ｈ２としての第３の凸部３３の当接部３８と第５被係合部Ｈ５としての第２の凸部３２の当接部３８との間の第２の距離Ｌ２とは等しくされている（Ｌ１＝Ｌ２）。これにより、サッシ枠６に前障子７がロックされたときに、左右両方向Ｘ１，Ｘ２への中央障子８の移動が規制されている。
【００４３】
第１配列のときに、第２係合部Ｋ２および第２被係合部Ｈ２が互いに係合することにより、サッシ枠６にロックされた前障子７に対して中央障子８が右方Ｘ２へ移動することが規制される。これとともに、第５係合部Ｋ５および第５被係合部Ｈ５が互いに係合することにより、サッシ枠６に固定された後障子９に対して中央障子８が左方Ｘ１へ移動することが規制される。その結果、ロック状態において、左右方向Ｘ１，Ｘ２への中央障子８の移動が規制される。
【００４４】
図８は、図４（ａ）のVIII−VIII線に沿う断面図である。図９（ａ）および図９（ｂ）は、閉じた状態と開く途中の状態での第２配列のサッシユニット３の模式的な断面図である。図１０（ａ）および図１０（ｂ）は、開いた状態と閉じる途中の状態での第２配列のサッシユニット３の模式的な断面図である。図８を参照して、第２配列については、第１配列との相違点を中心に説明する。第２配列では、前障子７の第２の面２２は、前面になる。中央障子８の第１の面２１は、前面になる。後障子９の第１の面２１は、前面になる。
【００４５】
図９（ａ）および図９（ｂ）を参照して、第２配列で開くときには、閉じた状態から、前障子７を左方Ｘ１へ移動させる。左右方向Ｘ１，Ｘ２に関して前障子７がサッシ枠６の中央に到達すると、中央障子８が前障子７とともに左方Ｘ１へ移動するようになっている。すなわち、第２配列のときに前障子７に連動して中央障子８が開くように、前障子７の後面としての第１の面２１に設けられた第３の凸部３３からなる第３係合部Ｋ３と中央障子８の右端面としての端面３７からなる第３被係合部Ｈ３とが係合可能である。このような係合状態が達成されることにより、前障子７に連動して、中央障子８を左方Ｘ１へ移動させることができて、開いた状態にできる。
【００４６】
図１０（ａ）および図１０（ｂ）を参照して、第２配列で閉じるときに、開いた状態から、前障子７を右方Ｘ２へ移動させる。左右方向Ｘ１，Ｘ２に関して前障子７がサッシ枠６の中央に到達すると、中央障子８が前障子７とともに右方Ｘ２へ移動するようになっている。すなわち、第２配列のときに前障子７に連動して中央障子８が閉じるように、前障子７の後面としての第１の面２１に設けられた第４の凸部３４からなる第４係合部Ｋ４と中央障子８の前面としての第１の面２１に設けられた第４の凸部３４からなる第４被係合部Ｈ４とが係合可能である。このような係合状態が達成されることにより、前障子７に連動して、中央障子８を右方Ｘ２へ移動させることができて、閉じた状態にできる。
【００４７】
図９（ａ）を参照して、閉じた状態で、第２配列のときに後障子９に対する中央障子８が右方Ｘ２へ移動することが規制されるように、後障子９の前面としての第１の面２１に設けられた第４の凸部３４からなる第６係合部Ｋ６と中央障子８の後面としての第２の面２２に設けられた第１の凸部３１からなる第６被係合部Ｈ６とが係合可能である。
第２配列のときに、左右方向Ｘ１，Ｘ２に関して、サッシ枠６にロックされた前障子７の第４係合部Ｋ４としての第４の凸部３４の当接部３８と後障子９の第６係合部Ｋ６としての第４の凸部３４の当接部３８との間の第３の距離Ｌ３は、中央障子８の第４被係合部Ｈ４の当接部３８と第６被係合部Ｈ６の当接部３８との間の第４の距離Ｌ４とは等しくされている（Ｌ３＝Ｌ４）。これにより、サッシ枠６に前障子７がロックされたときに、左右両方向への中央障子８の移動が規制されている。
【００４８】
第２配列のときに、第４係合部Ｋ４および第４被係合部Ｈ４が互いに係合することにより、サッシ枠６にロックされた前障子７に対して中央障子８が左方Ｘ１へ移動することが規制される。これとともに、第６係合部Ｋ６および第６被係合部Ｈ６が互いに係合することにより、サッシ枠６に固定された後障子９に対して中央障子８が右方Ｘ２へ移動することが規制される。その結果、開口部が閉じられた状態で、中央障子８の移動が、左右両方向ともに規制される。
【００４９】
また、本実施形態では、第１配列および第２配列の両方において、中央障子８および後障子９の少なくとも一方を、前後反転させて用いることが可能とされている。
図１１（ａ）および図１１（ｂ）は、第１配列において中央障子８および後障子９の前後を反転させた状態のサッシユニット３の模式的な断面図であり、図１１（ａ）に開いた状態を示し、図１１（ｂ）に閉じた状態を示す。図１２（ａ）および図１２（ｂ）は、第２配列において中央障子８および後障子９の前後を反転させた状態のサッシユニット３の模式的な断面図であり、図１２（ａ）に開いた状態を示し、図１２（ｂ）に閉じた状態を示す。
【００５０】
図１１（ａ）および図１１（ｂ）を参照して、中央障子８および後障子９を前後反転させたときには、中央障子８の第１の面２１は、後面となり、後障子９の第１の面２１は、後面となる。第１配列で中央障子８を前後反転させる前に中央障子８の第２被係合部Ｈ２として機能した第３の凸部３３（図６（ａ）参照）が、第１配列で中央障子８を前後反転させた後に第５被係合部Ｈ５として機能する（図１１（ｂ）参照）。同様に、反転前の第５被係合部Ｈ５としての中央障子８の第２の凸部３２（図６（ａ）参照）が、反転後に第２被係合部Ｈ２として機能する（図１１（ｂ）参照）。
【００５１】
また、後障子９の第２の凸部３２は、反転前の第５係合部Ｋ５および第６係合部Ｋ６が設けられた面としての第１の面２２（図６（ａ）参照）とは反対側の面としての第２の面２２に配置されており、後障子９を前後反転させて用いるときに第５係合部Ｋ５として機能する（図１１（ｂ）参照）。
第２配列で中央障子８を前後反転させる前に中央障子８の第４被係合部Ｈ４として機能した第４の凸部３４（図９（ａ）参照。）が、反転後に第６被係合部Ｈ６として機能する（図１２（ｂ）参照。）。また、反転前の第６被係合部Ｈ６としての中央障子８の第１の凸部３１（図９（ａ）参照。）が、反転後に第４被係合部Ｈ４として機能する（図１２（ｂ）参照。）。また、後障子９の第２の面２２に配置された第１の凸部３１が、第２配列で後障子９を前後反転させて用いるときに、第６係合部Ｋ６として機能する。
【００５２】
また、本実施形態では、第１配列において、前障子７と、後障子９とを入れ換えて利用することができる（この配列を第３配列という。）。この場合には、室外側から室内側に向かって見たときに（上述の説明とは逆向きとなる。）、前障子７、中央障子８、およびサッシ枠６に固定された後障子９の配列は、右方Ｘ２への移動で閉じる上述の第２配列、と同じになる。より具体的には、中央障子８および後障子９を前後反転させた図１２（ａ）および図１２（ｂ）に示す第２配列と同じである。
【００５３】
また、本実施形態では、第２配列において、前障子７と、後障子９とを入れ換えて利用することができる（この配列を第４配列という。）。この場合には、室外側から室内側に向かって見たときに、前障子７、中央障子８、およびサッシ枠６に固定された後障子９の配列は、左方Ｘ１への移動で閉じる上述の第１配列と同じになる。より具体的には、中央障子８および後障子９を前後反転させた図１１（ａ）および図１１（ｂ）に示す第１配列と同じである。
【００５４】
図２を参照して、サッシ枠６は、正面視で左右対称な形状を有している。これにより、右勝手および左勝手の場合で、サッシ枠６を共通化することができる。また、サッシ枠６が組立ハウス１の一対の柱２に保持された状態で、各障子７，８，９は、サッシ枠６に着脱可能とされている。これにより、組立ハウス１の建築現場において、サッシユニット３の右勝手と左勝手とを互いに容易に変更できるので、便利である。
【００５５】
サッシ枠６は、縦枠としての左枠１３および右枠１４と、横枠としての上枠１５および下枠１６と、これらの縦枠および横枠のうちの互いに隣接する縦枠と横枠とを互いに連結する４つの連結部材４１とを有している。連結部材４１は、４角環状をなすサッシ枠６の角部に配置されている。
図１３は、サッシ枠６の要部の斜視図であり、部分的に断面表示されている。図１４は、図１３に示すサッシ枠６の要部のサッシ枠６の分解斜視図である。なお、図１３および図１４には、サッシ枠６の左半部は図示されていないが、右半部と同様に構成されている。図１３および図１４を参照して、各枠１３，１４，１５，１６と連結部材４１とは、当該枠１３，１４，１５，１６の長手方向に沿って互いに嵌合する一対の嵌合部４２，４３を有している。一方の嵌合部４２は、筒形状をなしており、嵌合凹部を形成している。具体的には、一方の嵌合部４２は、各枠１３，１４，１５，１６の端部に配置されており、断面多角形（例えば、矩形）の筒形状をなしている。一方の嵌合部４２の内面に、他方の嵌合部４３の外面が嵌合している。
【００５６】
他方の嵌合部４３は、嵌合凸部としての外面を有している。この外面は、断面多角形（例えば、矩形）をなしている。一対の嵌合部４２，４３が嵌合することにより、相対応する枠１３，１４，１５，１６と連結部材４１とが連結されている。また、相対応する枠１３，１４，１５，１６と連結部材４１とは、固定ボルトによりねじ止めされてもよい。
また、サッシ枠６は、左右方向Ｘ１，Ｘ２に関する障子７，８，９の移動を案内する軌道としての下枠１６の３つの突条４５と、上述の軌道としての上枠１５の３つの凹溝４６とを有している。上述の軌道は、障子７，８，９ごとにそれぞれ設けられており、左右方向Ｘ１，Ｘ２に延びており、前後方向Ｙ１，Ｙ２に並んでいる。
【００５７】
サッシ枠６の下枠１６は、四角筒状の下枠本体４８と、下枠本体４８の上面から上方に突出する３つの突条４５とを有している。下枠本体４８と、３つの突条４５とは、単一材料により一体に形成されている。３つの突条４５のそれぞれは、左右方向Ｘ１，Ｘ２に真直に延びている。３つの突条４５は、前後方向Ｙ１，Ｙ２に沿って順に並んでおり、互いに平行に、且つ前後方向Ｙ１，Ｙ２に互いに均等に離隔して配置されている。
【００５８】
凹溝４６は、上枠１５の四角筒状の上枠本体４９の下面から下方に突出する４つの突条４５の間に形成されている。
図１５は、ロック解除状態のサッシユニット３の要部の正面図である。図１６は、ロック状態のサッシユニット３の要部の正面図である。図１５および図１６を参照して、ロック装置１０は、サッシ枠６に設けられたロック用の被係合凹部５０と係合するように昇降可能なロック部材５３と、ロック部材５３を操作可能なロック操作部材５４とを含んでいる。
【００５９】
ロック操作部材５４は、ロック部材５３を室外側から操作するためのシリンダ錠５５と、ロック部材５３を室内側から操作するための操作摘み５６とを有している。また、図示しないが、シリンダ錠５５および操作摘み５６を操作することを通じてロック部材５３を駆動するための連動機構として、ラックピニオン機構、カム機構等が設けられている。
シリンダ錠５５は、サッシ枠６に固定された外筒と、この外筒と相対回転可能な内筒とを有している。真正な開錠キー（図示せず）を用いた場合にのみ、開錠キーの回転操作に伴って、内筒を回動させることができる。これに伴って、ロック部材５３を昇降させることができる。また、操作摘み５６の回転操作にともなって、ロック部材５３を昇降させることができる。
【００６０】
図５および図８を参照して、ロック操作部材５４は、第１配列または第２配列に応じて、それぞれ前障子７の第１の面２１または第２の面２２に択一的に装着可能である。具体的には、第１配列では、ロック操作部材５４のシリンダ錠５５が、室外側から操作できるように、前障子７の室内側の面としての第１の面２１に固定されている。また、操作摘み５６が室内側から操作できるようになっている。ロック操作部材５４のシリンダ錠５５の外筒が、第１の縦枠２４に室内側からねじ止めにより固定されている。また、第２配列では、ロック操作部材５４のシリンダ錠５５が、室外側から操作できるように、前障子７の室内側の面としての第２の面２２の第１の縦枠２４による部分に、室内側からのねじ止めにより固定されている。
【００６１】
図１５および図１６を参照して、ロック部材５３は、上下方向Ｚに延びる棒状部材により形成されている。ロック部材５３は、前障子７の第１の縦枠２４に、上位置および下位置の間を上下方向Ｚに移動可能に支持されており、第１の縦枠２４内に設けられた案内部により、上下方向Ｚに移動を案内されている。
図１５に示すロック装置１０のロックが解除された状態（開錠状態）では、ロック部材５３は、上位置に位置しており、例えば、第１の縦枠２４内に収容されている。
【００６２】
図１６に示すロック装置１０のロック状態（施錠状態）では、ロック部材５３の一部としての下端部が第１の縦枠２４から下方に進出し（下位置）、この状態で、ロック部材５３の下端部が被係合凹部５０と係合している。
図５、図８および図１３を参照して、被係合凹部５０は、下枠１６の左側および右側の端部５８の突条４５の一部をそれぞれ切り欠いて形成された左側および右側の被係合凹部５０を含んでいる。これらの被係合凹部５０は、サッシ枠６において、正面視で左右対称に配置されている。また、本実施形態では、被係合凹部５０は、最も前側の突条４５と、最も後側の突条４５とのそれぞれについての左右両端部に設けられている。
【００６３】
図６（ａ）を参照して、第１配列のときに、ロック部材５３が、最も前側の突条４５において左側に配置された被係合凹部５０に係合する。図９（ａ）を参照して、第２配列のときに、ロック部材５３が、最も前側の突条４５において右側の被係合凹部５０に係合するようにしてある。また、図示しないが、上述の第３配列のときに、ロック部材５３が、最も後側の突条４５において左側に配置された被係合凹部５０に係合する。第４配列のときに、ロック部材５３が、最も後側の突条４５において右側に配置された被係合凹部５０に係合する。
【００６４】
図６および図９の各図を参照して、本実施形態のサッシユニット３では、前障子７、中央障子８および後障子９の配列は、左方Ｘ１への移動で閉じる第１配列と、右方Ｘ２への移動で閉じる第２配列とを択一的に選択可能である。第１配列のときに前障子７に連動して中央障子８が開くように、第１係合部Ｋ１と第１被係合部Ｈ１とが係合可能である。第１配列のときに前障子７に連動して中央障子８が閉じるように、第２係合部Ｋ２と第２被係合部Ｈ２とが係合可能である。第２配列のときに前障子７に連動して中央障子８が開くように、第３係合部Ｋ３と第３被係合部Ｈ３とが係合可能である。第２配列のときに前障子７に連動して中央障子８が閉じるように、第４係合部Ｋ４と第４被係合部Ｈ４とが係合可能である。
【００６５】
この構成によれば、サッシユニット３の前障子７を左方Ｘ１へ移動させて閉じる場合と、サッシユニット３の前障子７を右方Ｘ２へ移動させて閉じる場合との両方の場合、いわゆる勝手違いの場合に、サッシ枠６、前障子７、中央障子８、および後障子９を兼用することができる。従って、勝手違いの２種のサッシユニット３の部品を共通化できるので、勝手違いの２種のサッシユニット３全体での部品の種類を低減できる。その結果、製造コストを安価にできる。
【００６６】
また、前障子７、中央障子８、および後障子９を第１配列から第２配列に変更してサッシ枠６に装着することができる。逆に、第２配列から第１配列に変更することもできる。このように、左右の勝手の変更に際しては、前障子７、中央障子８、および後障子９を兼用しつつ、これらの配置を変更すればよいので、左右の勝手を容易に変更できる。
図６（ａ）および図９（ａ）を参照して、本実施形態では、第１配列のときに後障子９に対して中央障子８が右方Ｘ２へ移動することが規制されるように、後障子９の第５係合部Ｋ５と中央障子８の第５被係合部Ｈ５とが係合可能である。第２配列のときに後障子９に対する中央障子８が左方Ｘ１へ移動することが規制されるように、後障子９の第６係合部Ｋ６と中央障子８の第６被係合部Ｈ６とが係合可能である。第１配列のときに、左右方向Ｘ１，Ｘ２に関する第１の距離Ｌ１と第２の距離Ｌ２とは互いに等しくされている。第２配列のときに、左右方向Ｘ１，Ｘ２に関する第３の距離Ｌ３と第４の距離Ｌ４とは互いに等しくされている。この場合には、右勝手および左勝手の両方の場合に、開口部を閉じた状態で、前障子７をロックするときに、中央障子８の移動を規制できる。これにより、開口部の閉じた状態が確実に維持される。
【００６７】
図６（ａ）および図１１（ｂ）を参照して、本実施形態では、中央障子８および後障子９は、前後反転させて用いることが可能とされている。この場合、中央障子８および後障子９を前後反転させて利用できるので、前後方向Ｙ１，Ｙ２に関して組立時の注意を厳しくせずに済み、その結果、組立が容易になる。
図１６を参照して、本実施形態のサッシユニット３のロック装置１０は、サッシ枠６に設けられたロック用の被係合凹部５０と係合するように昇降可能なロック部材５３と、ロック部材５３を操作可能なロック操作部材５４とを含んでいる。ロック操作部材５４は、第１配列または第２配列に応じて、それぞれ第１の面２１または第２の面２２に択一的に装着可能である。上述の被係合凹部５０は、サッシ枠６の下枠１６の左側および右側の端部５８に形成されている。第１配列では、ロック部材５３が左側の被係合凹部５０に係合する。第２配列では、ロック部材５３が右側の被係合凹部５０に係合する。
【００６８】
この場合、右勝手および左勝手の両方の場合に、前障子７をサッシ枠６にロックすることができる。また、被係合凹部５０は、軌道となる突条４５の端部が利用されているので、サッシ枠６の構造を簡素化でき、製造コストを安価にできる。ロック部材５３を下枠１６にある被係合凹部５０に係合させるようにしたので、ロックされた前障子７と、サッシ枠６の左枠１３または右枠１４との間に、隙間を確保することが可能となる。
【００６９】
各障子７，８，９を連動させたり相対移動を規制するための上述の各係合部Ｋ１〜Ｋ６および各被係合部Ｈ１〜Ｋ６は、対応する前障子７の端面または対応する各障子７，８，９の凸部という簡素な構造により構成できる。
また、本実施形態について、以下のような変形例を考えることができる。以下の説明では、上述の実施形態と異なる点を中心に説明し、同様の構成については同じ符号を付して説明を省略する。例えば、中央障子８の前後を逆にしての利用を廃止すること、後障子９の前後を逆にしての利用を廃止すること、第３および第４配列での利用を廃止することの少なくとも一つを採用することも考えられる。その他、特許請求の範囲に記載された事項の範囲で種々の設計変更を施すことが可能である。
【符号の説明】
【００７０】
１…組立ハウス、２…柱、３…サッシユニット、５…出入口、６…サッシ枠、７…前障子、８…中央障子、９…後障子、１０…ロック装置、１３…左枠、１４…右枠、１６…下枠、２１…第１の面、２２…第２の面、２３…戸車、３０…把手（開閉操作部）、３１…第１の凸部、３２…第２の凸部、３３…第３の凸部、３４…第４の凸部、３６，３７…端面、３８…当接部、４５…突条、５０…被係合凹部、５３…ロック部材、５４…ロック操作部材、５８…下枠の端部、Ｈ１…第１被係合部、Ｈ２…第２被係合部、Ｈ３…第３被係合部、Ｈ４…第４被係合部、Ｈ５…第５被係合部、Ｈ６…第６被係合部、Ｋ１…第１係合部、Ｋ２…第２係合部、Ｋ３…第３係合部、Ｋ４…第４係合部、Ｋ５…第５係合部、Ｋ６…第６係合部、Ｌ１…第１の距離、Ｌ２…第２の距離、Ｌ３…第３の距離、Ｌ４…第４の距離、Ｘ１…左方（左右方向）、Ｘ２…右方（左右方向）、Ｙ１，Ｙ２…前後方向。
【図１】
2011038274.tif 000003
【図２】
2011038274.tif 000004
【図３】
2011038274.tif 000005
【図４】
2011038274.tif 000006
【図５】
2011038274.tif 000007
【図６】
2011038274.tif 000008
【図７】
2011038274.tif 000009
【図８】
2011038274.tif 000010
【図９】
2011038274.tif 000011
【図１０】
2011038274.tif 000012
【図１１】
2011038274.tif 000013
【図１２】
2011038274.tif 000014
【図１３】
2011038274.tif 000015
【図１４】
2011038274.tif 000016
【図１５】
2011038274.tif 000017
【図１６】
2011038274.tif 000018